(57)【要約】      （修正有）【課題】手の平等にマーキングとして使用する印影等に用いるための、ヒトの皮膚に付着した場合に、石鹸によって３０秒程度で容易に洗い落とすことができる皮膚用水性インキの提供。【解決手段】染料と、水と、多価アルコールと、リンタンパク質と、から少なくともなることを特徴とする皮膚用水性インキであり、前記リンタンパク質が、脱脂粉乳、カゼイン、カゼインナトリウム、カゼインカルシウム、カゼインカリウム、カゼインマグネシウムから選ばれる１種又は２種以上である皮膚用水性インキ。【選択図】なし【特許請求の範囲】
【請求項１】
染料と、
水と、
多価アルコールと、
リンタンパク質と、
から少なくともなることを特徴とする皮膚用水性インキ。
【請求項２】
前記リンタンパク質が、脱脂粉乳、カゼイン、カゼインナトリウム、カゼインカルシウム、カゼインカリウム、カゼインマグネシウムから選ばれる１種又は２種以上であることを特徴とする請求項１に記載の皮膚用水性インキ。
【発明の詳細な説明】
【技術分野】
【０００１】
本発明は、マーキングペン、サインペンなどの筆記具や、スタンプ台、浸透印など文房具に用いられる皮膚用水性インキに関するものである。
【背景技術】
【０００２】
筆記具、スタンプ台、浸透印に用いられる従来公知の水性染料インキは、誤ってインキが皮膚に付着してしまった場合、石鹸で洗い落とすことは容易でない。
また、水により容易、且つ完全に消去できる玩具用水消去性インキ（特開２００２-１２９０８５号）の開示はあるが、ヒトの皮膚に付着した場合、水はもちろんのこと、石鹸で洗い落すことも容易でない。
【０００３】
また、ノロウイルスやインフルエンザなどの感染症や食中毒を予防するために、石けんを使った丁寧な手洗いが厚生労働省から推奨されている。また、正しい手洗い試験結果（感染症予防対策情報研究サイト）によれば、手洗い前に付着していた７２３個の菌は、３０秒間手洗いした後には９８個にまで減少し、また、大手石鹸メーカーによれば、子どもの手洗いを促進させるため、オリジナルの「手洗いのうた」を用意するなど、３０ 秒程度石鹸で手洗いすることを推奨している。
そこで、手のひらに指標としてマーキングした印影等を、市販の石鹸を用いて３０秒程度で洗い落とせるインキが求められているが、従来公知のインキでは、石鹸を用いても３０秒程度で洗い落とすことができないため、手洗い練習には不向きであった。
【先行技術文献】
【特許文献】
【０００４】
【特許文献１】特開２００２−１２９０８５号公報
【発明の概要】
【発明が解決しようとする課題】
【０００５】
本発明は、上記問題点を解決すべくなされたものであって、ヒトの皮膚に付着した場合に、石鹸によって３０秒程度で容易に洗い落とすことができる皮膚用水性インキを提供することを目的としている。
【課題を解決するための手段】
【０００６】
上記課題を解決するためになされた第１の発明の皮膚用水性インキは、染料と、水と、多価アルコールと、リンタンパク質と、から少なくともなることを特徴とする。
【０００７】
第２の発明は、前記リンタンパク質が、脱脂粉乳、カゼイン、カゼインナトリウム、カゼインカルシウム、カゼインカリウム、カゼインマグネシウムから選ばれる１種又は２種以上であることを特徴とする第１の発明に記載の皮膚用水性インキである。
【発明の効果】
【０００８】
本願発明者は鋭意研究の結果、前記課題を解決したマーキングペン、サインペン、ボールペン、スタンプ台、浸透印など文房具に用いられる皮膚用水性インキを見出した。
すなわち、染料と、水と、多価アルコールと、リンタンパク質と、から少なくともなる皮膚用水性インキを用いれば、ヒトの皮膚に付着しても、石鹸によって３０秒程度で容易に洗い落とすことができる。
また、本発明の皮膚用水性インキは、手洗い練習用に用いることができる。本発明の皮膚用水性インキは、手のひらに印影等を指標としてマーキングした際、市販の石鹸を用いて３０秒程度で洗い落とすことができるため、子供の手洗い練習に利用でき有用である。すなわち、外遊びから帰った子供の手には、目に見えない「ばい菌」が付着しており、ノロウイルスやインフルエンザなどの感染症や食中毒を予防するために推奨される３０ 秒程度の石鹸による手洗いの指標・基準として、本発明のインキを利用できる。
【発明を実施するための形態】
【０００９】
以下、本発明を詳細に説明する。
本発明に用いられる染料としては、食用色素及び/又は天然色素が用いられ、食用赤色２号（C.I.Number : C.I.16185、Color Index Name : Acid Red 27）、食用赤色３号（C.I.Number : C.I.45430、Color Index Name : Acid Red 51）、食用赤色４０号（C.I.Number : C.I.16035、Color Index Name : Food Red 17）、食用赤色１０２号（C.I.Number : C.I.16255、Color Index Name : Acid Red 18）、食用赤色１０４号（C.I.Number : C.I.45410、Color Index Name : Acid Red 92）、食用赤色１０５号（C.I.Number : C.I.45440、Color Index Name : Acid Red 94）、食用赤色１０６号（C.I.Number : C.I.45100、Color Index Name : Acid Red 52）、食用黄色４号（C.I.Number : C.I.19140、Color Index Name : Acid Yellow 23）、食用黄色５号（C.I.Number : C.I.15985、Color Index Name : Food Yellow 3）、食用緑色３号（C.I.Number : C.I.42053、Color Index Name : Food Green 3）、食用青色１号（C.I.Number : C.I.42090、Color Index Name : Food Blue 2）、食用青色２号（C.I.Number : C.I.73015、Color Index Name : Acid Blue 74）などの食用染料色素や、ベニコウジ色素（Monascus Color）、β-カロテン（beta-Carotene ）、ラック色素（Laccaic Acid）、コチニール色素（Cochineal Extract）、パプリカ色素（Paprika Oleoresin）、ビートレッド（Beet Red）、アントシアニン色素（Anthocyanins）、クチナシ色素（Gardenia Extract）、ベニバナ色素（Carthamus Extract）、ウコン色素（Turmeric Oleoresin）、アナトー色素（Annatto Extracts）、クロロフィル（Chlorophylls）、カキ色素（Japanese Persimmon Color）、タマリンド色素（Tamarind Color）、カラメル色素（Caramel）などの天然色素を用いることができる。
他にも以下染料を用いることができる。
直接染料としては、Ｃ．Ｉ．ダイレクイトブラック １７、同１９、同２２、同３１、同３２、同３８、同５１、同６２、同７１、同７４、同１１２、同１１３、同１５４、同１６８、Ｃ．Ｉ．ダイレクイトイエロー ４、同８、同１１、同１２、同２６、同２７、同２８、同３３、同３９、同４４、同５０、同５８、同８５、同８６、同８７、同８８、同８９、同９８、同１００、同１１０、Ｃ．Ｉ．ダイレクイトレッド １、同２、同４、同９、同１１、同２０、同２３、同２４、同３１、同３７、同３９、同４６、同６２、同７５、同７９、同８０、同８１、同８３、同８９、同９５、同１９７、同２０１、同２１８、同２２０、同２２４、同２２５、同２２６、同２２７、同２２８、同２３０、Ｃ．Ｉ．ダイレクイトブルー １、同１５、同２２、同２５、同４１、同７１、同７６、同７７、同８０、同８６、同９０、同９８、同１０６、同１０８、同１９９、同１２０、同１５８、同１６３、同１６８、同１９９、同２２６等が挙げられる。
酸性染料としては、Ｃ．Ｉ．アシッドブラック１、同２、同２４、同２６、同３１、４８、５１、同５２、同１０７、同１０９、同１１０、同１１５、同１１９、同１５４、同１５６、Ｃ．Ｉ．アシッドイエロー １、同３、同７、同１１、同１７、同２３、同２５、同２９、同３６、同３８、同４０、同４２、同４４、同４９、同６１、同７２、同７８、同１１０、同１３５、同１２７、同１４１、同１４２、Ｃ．Ｉ．アシッドレッド ６、同８、同９、同１３、同１４、同１８、同２６、同２７、同３２、同３５、同３７、同４２、同５１、同５２、同５７、同８０、同８２、同８３、同８７、同８９、同９２、同９４、同１０６、同１１１、同１１４、同１１５、同１２９、同１３１、同１３３、同１３４、同１３８、同１４５、同１５８、同１８６、同１９８、同２４９、同２５４、同２６５、同２７６、同２８９、Ｃ．Ｉ．アシッドバイオレット １５、同１７、Ｃ．Ｉ．アシッドブルー １、同７、同９、同１５、同２２、同２３、同２５、同２９、同４０、同４１、同４３、同５９、同６２、同７４、同７８、同８０、同８３、同９０、同９３、同１００、同１０２、同１０３、同１０４、同１１２、同１１３、同１１７、同１２７、同１３８、同１５８、同１６１、Ｃ．Ｉ．アシッドグリーン ３、同９、同１６、同２５、同２７等が挙げられる。
塩基性染料としては、Ｃ．Ｉ．ベーシックレッド １、同２、同９、同１２、同１３、同３８、同３９、同９２、Ｃ．Ｉ．ベーシックブルー １、同３、同７、同５、同９、同１９、同２４、同２５、同２６、同２８、同４５、同５４、同６５、Ｃ．Ｉ．ベーシックブラック ２、同８等が挙げられる。
前記染料は、１又は２以上を用いることができ、その配合量は、インキ全量に対して０．1〜２０重量％が好ましく、０．５〜１０重量％がより好ましい。
【００１０】
本発明に用いられる溶剤は、水及び多価アルコールとからなる混合溶剤である。
水は純水、蒸留水、精製水、水道水などが用いられる。腐敗やかびの発生の観点から精製蒸留水が好ましく用いられる。水はインキ全量に対し、９〜９０重量％を用いることができる。
多価アルコールは、蒸発性、染料溶解性、にじみ防止性等を考慮して、エチレングリコール、プロプレングリコール、ブチレングリコール、ペンチルグリコール、ヘキシルグリコール、ジエチレングリコール、トリエチレングリコール、ジエチレングリコール、トリエチレングリコール、ジプロピレングリコール、トリプロピレングリコール、グリセリン、ジエタノールアミン、トリエタノールアミン等の多価アルコールを使用することができ、これらのうちのいずれかを混合して用いることもできる。多価アルコールはインキ全量に対し、９〜９０重量％を用いることができる。
【００１１】
また、本発明には、リンタンパク質の添加が必須となる。
リンタンパク質としては、脱脂粉乳、カゼイン、カゼインナトリウム、カゼインカルシウム、カゼインカリウム、カゼインマグネシウムから選ばれる１種又は２種以上を添加することができる。これらはインキ全量に対し、０．１〜２０重量％用いることが好ましく、粘度調整を勘案すると、０．５〜３％がより好ましい。
リンタンパク質を添加することにより、ヒトの皮膚に付着した場合であっても、容易に洗い落とすことができるメカニズムは明らかではないが、リンタンパク質が染料と強く結び付くことによって、ヒトの皮膚の角質層への染着が阻害されるためと思われる。
【００１２】
更に、本発明には、防腐防かび剤、安定剤、粘度調整剤、界面活性剤、ｐｈ調整剤、香料などを適宜配合してもよい。
また、上記各材料は一般工業品グレードでもよいが、ヒトの皮膚に使用することを考慮すると、安全性の面から、食品添加物グレードを用いることが好ましい。
【００１３】
以下、実施例により本発明を更に具体的に説明するが、本発明はこの実施例よって限定されるものではない。
本発明の皮膚用水性インキは、水と多価アルコールからなる溶剤中に、染料とリンタンパク質、必要に応じて各種添加剤を投入、撹拌して調整する。
【実施例】
【００１４】
実施例１〜４及び比較例１〜３の浸透印用インキ配合を、表１に示す。
2018159040.tif 000002
【００１５】
実施例５〜８及び比較例４〜６のスタンプ台用インキ配合を、表２に示す。
2018159040.tif 000003
【００１６】
実施例９〜１２及び比較例７〜９のサインペン用インキ配合を、表３に示す。
2018159040.tif 000004
【００１７】
また、実施例及び比較例について、以下の条件で試験を行なった際の結果を各表に示す。
手洗い消去性試験
（試験方法）
実施例及び比較例のインキを含浸した、浸透印、スタンプ台、サインペンを用いて、手のひらに付着後１分間放置し、市販の石鹸（ビオレＵ泡ハンドソープ：花王株式会社製）にて３０秒間手洗いした後の付着インキの状態を確認する。
（結果確認方法）
○：付着インキが消える。×：付着インキが残る。
【００１８】
表１〜表３から明らかなように、カゼインナトリウム、カゼインを配合したインキは、石鹸を用いて３０秒で洗い落とすことが確認できた。
一方、カゼインナトリウム、カゼインを配合しないインキや、キサンタンガム、ポリビニルピロリドンを配合したインキは、石鹸を用いて３０秒で洗い落とすことができなかった。カゼインナトリウムやカゼインを配合しないインキは、洗い落とすのに約９０秒を要し、実施例インキと比較すると約３倍の時間がかかるため、石鹸による手洗いの指標・基準とするには不向きである。
【００１９】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う皮膚用水性インキもまた技術的範囲に包含されるものとして理解されなければならない。